(57)【特許請求の範囲】
【請求項１】
荷電粒子線を照射して観察及び分析する試料を搬送するための試料搬送装置であって、
試料が設置される試料ホルダを内部に収容可能な伸縮部材と、前記試料ホルダを前記伸縮部材の内部で固定する固定部材と、前記伸縮部材内部と接続し試料ホルダが通過する開口部の開閉を行う封止部材を備え、
前記封止部材と、前記固定部材は、ガイド棒で連結されており、前記固定部材は、当該ガイド棒に沿って前記封止部材の方向に移動することを特徴とする試料搬送装置。
【請求項２】
荷電粒子線を照射して観察及び分析する試料を搬送するための試料搬送装置であって、
試料が設置される試料ホルダを内部に収容可能な伸縮部材と、前記試料ホルダを前記伸縮部材の内部で固定する固定部材と、前記伸縮部材内部と接続し試料ホルダが通過する開口部の開閉を行う封止部材と、前記伸縮部材の内部と接続され、真空排気及び／又はガス導入する開口部を備えたことを特徴とする試料搬送装置。
【請求項３】
荷電粒子線を照射して観察及び分析する試料を搬送するための試料搬送装置であって、
試料が設置される試料ホルダを内部に収容可能な伸縮部材と、前記試料ホルダを前記伸縮部材の内部で固定する固定部材と、前記伸縮部材内部と接続し試料ホルダが通過する開口部の開閉を行う封止部材を備え、
前記固定部材は、前記試料ホルダを着脱可能であることを特徴とする試料搬送装置。
【請求項４】
請求項１ないし３のいずれかの試料搬送装置において、
前記封止部材は、ゲートバルブであることを特徴とする試料搬送装置。
【請求項５】
請求項１の試料搬送装置において、
前記伸縮部材はベローズであることを特徴とする試料搬送装置。
【請求項６】
請求項１ないし３のいずれかの試料搬送装置において、
前記試料ホルダは、荷電粒子線装置に用いられるサイドエントリ型試料ホルダであることを特徴とする試料搬送装置。
【請求項７】
荷電粒子線装置に試料を搬送する試料搬送方法であって、
試料が設置される試料ホルダを内部に収容可能な伸縮部材と、前記試料ホルダを前記伸縮部材の内部で固定する固定部材と、前記伸縮部材内部と接続し試料ホルダが通過する開口部の開閉を行う封止部材を備えた試料搬送装置をグローブボックス内に挿入し、当該グローブボックス内で前記試料を前記試料ホルダに設置し、当該試料ホルダを前記試料搬送装置の伸縮部材内部に固定し、前記封止部材により前記開口部を閉じ、荷電粒子線装置に試料ホルダを搬送することを特徴とする試料搬送方法。
【請求項８】
請求項７に記載の前記試料搬送方法において、
前記試料搬送装置を前記荷電粒子線装置に設置し、前記開口部を開放し、前記伸縮部材を伸縮することにより前記試料ホルダを前記荷電粒子線装置に設置することを特徴とする試料搬送方法。
【発明の詳細な説明】
【技術分野】
【０００１】
本発明は、透過型電子顕微鏡，走査透過型電子顕微鏡等の試料の搬送装置に関し、特に、大気に曝す時間を最小限に抑え、透過型電子顕微鏡，走査透過型電子顕微鏡内に挿入することを可能にするための試料搬送装置に関する。
【背景技術】
【０００２】
半導体デバイスや磁気デバイス等の加工寸法が微細化し、高集積化するとともに、これまで以上にデバイス特性の劣化や信頼性の低下が重要な問題となっている。近年では、新規プロセスの開発や量産過程で、ナノメータ領域の半導体デバイスの不良を解析し、不良の原因を根本的に突き止め解決するために、（走査）透過型電子顕微鏡（（Scanning）Transmission Electron Microscopy：（Ｓ）ＴＥＭ）と電子エネルギー損失分光法（Electron Energy Loss Spectroscopy：ＥＥＬＳ），エネルギー分散型Ｘ線分光法（Energy Dispersive X-ray spectroscopy：ＥＤＸ）等を用いたスペクトル分析や二次元元素分布分析が必須の分析手段となっている。
【０００３】
また、Ｌｉ電池の正極材料等のエネルギー環境材料において、従来以上の飛躍的な材料特性の向上が望まれている。材料特性を向上させるためには、ナノレベルでの構造，化学結合状態の制御が重要な鍵を握る。そのため、上述の分析技術のニーズが増加している。
【０００４】
従来、透過型電子顕微鏡，走査透過型電子顕微鏡用の試料は、試料メッシュと呼ばれる透過型電子顕微鏡用の試料台に固定される。試料の固定方法は、試料の形状や、試料の観察領域等によって異なる。例えば、ナノメートルサイズの粒子の場合は、アルゴンガスで充満したグローブボックスといった試料準備室等で試料台に直接分散させる。また、半導体デバイスや磁気デバイス中において、電気特性等において、不良箇所と判断された箇所を観察したい場合は、収束イオンビーム装置（Focused Ion Beam：ＦＩＢ）により、観察領域近傍を抽出した後、タングステンガスにより試料台に固定される。
【０００５】
また、透過型電子顕微鏡における観察試料を試料台に固定した後は、透過型電子顕微鏡用の試料ホルダに試料台を設置し、一般的には、試料台を設置した試料ホルダごと大気中を搬送し、透過型電子顕微鏡内に挿入する。前記試料ホルダは、トップエントリ型試料ホルダとサイドエントリ型試料ホルダに大別されるが、近年では、サイドエントリ型試料ホルダが主流となっている。
【０００６】
上述の場合、試料ホルダは、試料作製室や収束イオンビーム装置から透過型電子顕微鏡まで、大気中を搬送される。そのため、大気中の水分や酸素と反応しやすい測定試料の場合、搬送時に試料の変質や、酸化が進行する可能性があり、所望の観察や元素分析が困難となる。これまで、透過型電子顕微鏡に代表される電子顕微鏡の測定試料を大気に曝す時間を最小限に抑えて、電子顕微鏡内で挿入する技術について開示されている。
【０００７】
特許文献１では、電子顕微鏡用の試料傾斜装置に着脱自在に取り付けられる雰囲気試料室について開示されており、また雰囲気試料室内にサイドエントリ型試料ホルダを着脱可能とし、該試料ホルダの試料傾斜装置への出し入れ操作を簡易化した電子顕微鏡の雰囲気試料室用試料ホルダの支持部材についても開示されている。
【０００８】
非特許文献１では、透過型電子顕微鏡用試料台を取り付け可能なサイドエントリ型試料ホルダの先端にＯリング及び先端筒を設け、サイドエントリ型試料ホルダが大気中を搬送される際には、試料台近傍を先端筒で覆い、試料台近傍を先端筒により覆ったまま透過型電子顕微鏡内へ挿入し、挿入後先端筒を開放して試料台に固定した試料を観察する技術が開示されている。
【０００９】
また、特許文献２では、収束イオンビーム装置を用いて断面試料を作製した際に、試料を大気に曝す時間を最小限に抑えるため、真空排気装置によって排気される真空排気部に連通する真空排気可能な空間を有するメインケースと試料保管のための内部空間を有する脱着型ケースを備え、断面試料等を行った試料を簡易に真空環境下で保管したまま搬送可能な試料保存装置が開示されている。
【００１０】
さらに特許文献３では、試料台を収容する気密室と、気密室に連接して設けたゲートバルブと、前記試料台の位置を３次元方向に移動可能とする手段とを備えていることを特徴とする試料搬送容器に関する技術が開示されており、試料上の配線の切断や接続を行う装置間を真空状態のまま搬送可能としている。
【００１１】
その結果、いずれの開示技術においても、電子顕微鏡や試料作製装置間の試料の搬送において、大気に曝す時間を最小限に抑えて、試料を電子顕微鏡や試料作製装置内に挿入可能となる。
【先行技術文献】
【特許文献】
【００１２】
【特許文献１】特開６０−２６４０３３号公報
【特許文献２】特開２００９−８０００５号公報
【特許文献３】特開昭６３−２８７０３２号公報
【非特許文献】
【００１３】
【非特許文献１】Japanese Journal of Applied Physics  ４６巻Ｌ１１４１〜Ｌ１１４２ページ
【発明の概要】
【発明が解決しようとする課題】
【００１４】
特許文献１に開示される雰囲気試料室は、電子顕微鏡用の試料傾斜装置に着脱自在に取り付けられ、また雰囲気試料室内にサイドエントリ型試料ホルダを着脱可能としているため、サイドエントリ型試料ホルダ全体を真空もしくは所望のガス雰囲気内で搬送可能である。しかしながら、雰囲気試料室から該試料ホルダを試料傾斜装置に挿入する際には、試料ホルダを挿入するための挿入棒が必要であり、サイドエントリ型試料ホルダを試料傾斜装置まで挿入するためには、サイドエントリ型試料ホルダが試料傾斜装置内に挿入される長さと同等の長さの挿入棒が必要となってくる。そのため、前記雰囲気試料室を搬送する際や雰囲気試料室内のサイドエントリ型試料ホルダを試料傾斜装置に挿入する際には、広範な場所が必要となってくる。
【００１５】
非特許文献１に開示されるサイドエントリ型試料ホルダは、試料台近傍のみを先端筒で覆い、そのまま電子顕微鏡内へ挿入可能であるため、操作性に優れた試料ホルダと言える。しかし、サイドエントリ型試料ホルダの先端部に既存のサイドエントリ型試料ホルダには付随していない先端筒や、Ｏリング等の取り付けが必要である。よって、既存のサイドエントリ型試料ホルダ自体を改良する必要がある。また、開示されているサイドエントリ型試料ホルダは、一軸方向にのみ傾斜可能であるため、試料の電子顕微鏡像や電子回折等を取得する際に、所望の電子線入射軸に設定することが困難となる。
【００１６】
特許文献２に開示される試料保存装置においては、収束イオンビーム装置等により作製した断面試料は、サイドエントリ型試料ホルダに設置されることが前提ではない。そのため、収束イオンビーム装置で作製した試料を試料保存装置から、サイドエントリ型試料ホルダに設置するためには、一度試料保存装置から試料を取り出す必要があり、試料を大気に曝してしまうことになる。
【００１７】
特許文献３の試料搬送容器は、大気に曝す時間を最小限にして装置間の試料搬送を可能としているが、特許文献１と同様に、サイドエントリ型試料ホルダが試料傾斜装置内に挿入される長さと同等の長さの挿入棒が必要となってくる。そのため、前記雰囲気試料室を搬送する際や雰囲気試料室内のサイドエントリ型試料ホルダを試料傾斜装置に挿入する際には、広範な場所が必要となってくる。
【００１８】
本発明の目的は、荷電粒子線を照射して観察及び分析する試料を、大気に曝す時間を最小限に抑えて、荷電粒子装置へ挿入可能な試料搬送装置を提供することにある。特に、装置周辺の作業領域が制限されている荷電粒子装置や、試料台をサイドエントリ型試料ホルダに設置するための空間が狭小であっても、作業を可能とする装置を提供することを目的とする。
【課題を解決するための手段】
【００１９】
上記課題を解決する手段として、荷電粒子線を照射して観察及び分析する試料を搬送するための試料搬送装置であって、試料が設置される試料ホルダを内部に収容可能な伸縮部材と、前記試料ホルダを前記伸縮部材の内部で固定する固定部材と、前記伸縮部材内部と接続し試料ホルダが通過する開口部の開閉を行う封止部材を備えたことを特徴とする試料搬送装置を提供する。
【００２０】
また、荷電粒子線装置に試料を搬送する試料搬送方法であって、試料が設置される試料ホルダを内部に収容可能な伸縮部材と、前記試料ホルダを前記伸縮部材の内部で固定する固定部材と、前記伸縮部材内部と接続し試料ホルダが通過する開口部の開閉を行う封止部材を備えた試料搬送装置をグローブボックス内に挿入し、当該グローブボックス内で前記試料を前記試料ホルダに設置し、当該試料ホルダを前記試料搬送装置の伸縮部材内部に固定し、前記封止部材により前記開口部を閉じ、荷電粒子線装置に試料ホルダを搬送することを特徴とする試料搬送方法を提供する。
【発明の効果】
【００２１】
本発明の試料搬送装置によれば、透過型電子顕微鏡，走査透過型電子顕微鏡、収束イオンビーム装置等の荷電粒子線装置で用いられるサイドエントリ型試料ホルダを真空もしくは所望のガス雰囲気内で搬送可能であるため、試料の搬送中に大気に曝す時間を最小限に抑えることができるため、試料の酸化，変質を抑えることが可能である。また、サイドエントリ型試料ホルダが格納される伸縮部材を変形可能とすることで、狭小空間での試料設置や試料搬送時の装置全体の小型化を可能とした試料搬送装置を提供できる。また、既存のサイドエントリ型試料ホルダについてもそのまま使用可能である試料搬送装置を提供できる。
【図面の簡単な説明】
【００２２】
【図１】電子分光器付き透過型電子顕微鏡の一例を示す概略構成図。
【図２】電子分光器付き透過型電子顕微鏡の一例を示す概略構成図。
【図３】本発明の試料搬送装置の一例を示す概略構成図。
【図４】本発明の試料搬送装置の一例を示す概略構成図。
【図５】本発明の試料搬送装置の一例を示す概略縦断面図。
【図６】本発明の試料搬送装置の一例を示す概略縦断面図。
【図７】本発明の試料搬送装置の一例を示す装置正面図（図３のＢ方向から見た図）。
【図８】本発明の試料搬送装置の一例を示す装置正面図（図４のＢ方向から見た図）。
【図９】本発明の試料搬送装置の一例を示す装置背面図（図３のＣ方向から見た図）。
【図１０】本発明の試料搬送装置の使用手順を示したフローチャート。
【図１１】本発明における一実施例の試料搬送装置の動作説明図。
【図１２】本発明における一実施例の試料搬送装置の動作説明図。
【発明を実施するための形態】
【００２３】
以下、本発明の実施の形態を図面に基づいて詳細に説明する。なお、実施の形態を説明するための全図において、同一の部材には原則として同一の符号を付し、その繰り返しの説明は省略する。
【００２４】
図１は、本発明による一実施の形態である電子分光器を付随した透過型電子顕微鏡に、本発明の試料搬送装置を設置した状態の一例を示す概略構成図である。
【００２５】
図１において、サイドエントリ型試料ホルダ５が挿入される電子分光器付き透過型電子顕微鏡は、透過型電子顕微鏡１，電子分光器８，画像表示装置１４等から構成されている。透過型電子顕微鏡１には、電子線３を放出する電子源２，収束レンズ４，対物レンズ６，結像レンズ系７，蛍光板９などが設けられ、対物レンズ６の上部磁極片と下部磁極片の間に、試料台１８に固定した試料１７を備えたサイドエントリ型試料ホルダ５の先端部が挿入される。
【００２６】
電子分光器８には、磁場セクタ１０，ドリフトチューブ２０，多重極子レンズ１１，１２，二次元検出器１３などが設けられており、電子エネルギー損失分光法によるスペクトル分析や二次元元素分析等が可能である。
【００２７】
図１の電子分光器付き透過型電子顕微鏡において、電子源２より放出された電子線３は、収束レンズ４を通過し、試料台１８に設置された試料１７に照射される。試料１７を透過した電子線３は、対物レンズ６，複数個からなる結像レンズ系７を通過し、蛍光板９を開けている場合には、そのまま電子線３は、電子分光器８に進入する。進入した電子線３は、電子分光器８内に設けられた電子エネルギー損失スペクトル，透過型電子顕微鏡像，エネルギー選択像のフォーカス，拡大，縮小，収差補正等に用いられる多重極子レンズ１１，１２や、電子線３の有するエネルギー量により分光可能な磁場セクタ１０を通過した後、透過型電子顕微鏡像，二次元元素分析像，スペクトル像等として、ＣＣＤカメラ等の二次元検出器１３により取得された後、画像表示装置１４に表示される。
【００２８】
なお、透過型電子顕微鏡１の構成、電子分光器８の構成については、これに限定されるものでなく、例えば、電子分光器８が、透過型電子顕微鏡１内に配置されていてもよい。また、透過型電子顕微鏡１は、電子分光器８を付随しない場合にあっても、透過型電子顕微鏡像を観察することができる。この場合、二次元検出器１３は、透過型電子顕微鏡１の蛍光板９の直下に配置される。また、透過型電子顕微鏡１に付随する分析装置は、電子分光器８に限らず、例えば、エネルギー分散型Ｘ線検出器等を付随してもよい。
【００２９】
前記サイドエントリ型試料ホルダ５には、試料台１８に固定された試料１７が配置されている。サイドエントリ型試料ホルダ５が大気中を搬送される際には、試料搬送装置１６内に配置される。試料搬送装置１６内は、真空もしくは所望のガス雰囲気で置換可能であり、大気に曝されることはない。
【００３０】
試料搬送装置１６からサイドエントリ型試料ホルダ５を透過型電子顕微鏡１内に挿入する際には、まず初めに透過型電子顕微鏡１の試料傾斜装置１５に固定される。その後、図２に示したように、試料搬送装置１６が収縮することにより、サイドエントリ型試料ホルダ５は、試料傾斜装置１５内に挿入され固定される。サイドエントリ型試料ホルダ５が固定された後は、試料搬送装置１６を試料傾斜装置１５から取り外すことも可能である。
【００３１】
図３は、本発明による一実施形態であるサイドエントリ型試料ホルダを搬送するための試料搬送装置１６の一例を示す概略構成図であり、電子線２の直交方向より見た側面図である。
【００３２】
試料搬送装置１６は、前面フランジ３０，背面シール板３３，背面フランジ３６，ベローズ３２，ガイド棒３１，ストッパネジ３４，ゲートバルブ３８，ゲートフランジ４０等により構成される。前面フランジ３０と背面シール板３３の間にベローズ３２が配置されており、ベローズ３２内にサイドエントリ型試料ホルダ５が設置されている。サイドエントリ型試料ホルダ５は、背面シール板３３に固定されている。サイドエントリ型試料ホルダ５を搬送中は、サイドエントリ型試料ホルダ５やベローズ３２が動かないように、ストッパネジ３４により背面シール板３３が固定される。なお、サイドエントリ型試料ホルダ５は、ベローズ３２内部で固定されれば他の固定部材に固定されていてもよい。
【００３３】
試料搬送装置１６を試料傾斜装置１５まで搬送した後、前面フランジ３０と試料傾斜装置１５間で、試料搬送装置１６は固定される。試料搬送装置１６が固定された後、前面フランジ３０内のゲートバルブ３８が開放され、サイドエントリ型試料ホルダ５が挿入可能となる。
【００３４】
ベローズ３２内は、前面フランジ３０と背面シール板３３に設けられたＯリングで密封されており、前面フランジ３０の排気穴６０より、ベローズ３２内の真空排気や、所望のガス雰囲気置換が可能である。
【００３５】
また、前面フランジ３０と背面シール板３３の間にはガイド棒３１があり、ガイド棒３１に沿って、背面シール板３３と一体となったベローズ３２の伸縮可能である。背面シール板３３に設けられたガイド穴３７にガイド棒３１が通っているため、ガイド棒３１に沿って、サイドエントリ型試料ホルダ５を直進させることができる。このガイド棒３１は、何本でも良いが、サイドエントリ型試料ホルダ５を精度良く直進させるためには、複数本あった方が望ましい。
【００３６】
また、本実施例では、試料搬送装置１６内にテフロン（登録商標）製のベローズ３２を用いたが、サイドエントリ型試料ホルダ５を挿入する際に、サイドエントリ型試料ホルダ５が試料傾斜装置１５の内部まで挿入可能な程度に変形し、サイドエントリ型試料ホルダ５の搬送時に真空保持もしくはガス雰囲気保持する伸縮部材であれば何でも構わない。
【００３７】
サイドエントリ型試料ホルダ５を直進させ、試料ホルダの先端部が試料搬送装置１６から突き出た場合、すなわち試料ホルダ先端部が試料傾斜装置１５に挿入された場合は、図４に示したような配置となる。
【００３８】
図５は、本発明の試料搬送装置の一例を示す概略縦断面図である。サイドエントリ型試料ホルダ５をベローズ３２内の試料保持空間５０に保持した状態を示している。サイドエントリ型試料ホルダ５は、ホルダ支持部材５１により背面シール板３３と固定されている。サイドエントリ型試料ホルダ５とホルダ支持部材５１間は、Ｏリングで封止されている。
【００３９】
サイドエントリ型試料ホルダ後方部５２は、既存の試料ホルダによって様々な形状を有しているので、既存の試料ホルダの形状に合わせてホルダ支持部材５１の形状を変えれば良い。また、高精度の真空排気，ガス雰囲気置換にするために、更に背面カバー３５が設置されている。しかしながら、背面カバー３５については、常に必要とするものではない。
【００４０】
図６は、本発明の試料搬送装置の一例を示す概略縦断面図であり、サイドエントリ型試料ホルダ５の先端部が試料傾斜装置１５に挿入された場合を示している。サイドエントリ型試料ホルダ５を挿入する際には、ベローズ固定冶具３９を用いて、ベローズ３２が背面フランジ３６の方向へ戻らないようにしても良い。
【００４１】
図７，図８は、試料搬送装置１６をサイドエントリ型試料ホルダの先端部から示した正面図であり、図３のＢ方向及び図４のＢ方向から見た図である。図７は試料搬送装置１６のゲートバルブ３８が閉まっている状態、図８は試料搬送装置のゲートバルブ３８が開いている状態を示している。ゲートバルブ３８は、前面フランジ３０とゲートフランジ４０の間に配置されている。
【００４２】
試料搬送装置１６が試料傾斜装置１５に固定された後、ゲートバルブ３８は、ゲートバルブ用取っ手４１により開けられ、サイドエントリ型試料ホルダが、試料傾斜装置１５内へ挿入可能となる。なお、ゲートバルブ３８の開閉方法は、本方法に限定されるものではない。
【００４３】
図９は、試料搬送装置１６をサイドエントリ型試料ホルダ５の後方部から示した背面図であり、背面シール板３３に背面カバー３５が設置されている状態を示している。
【００４４】
前述の通り、ストッパネジ３４により、背面フランジ３６と背面シール板３３が固定されている。また、背面フランジ３６には、ガイド棒３１が固定されている。
【００４５】
図１０は、透過型電子顕微鏡で観察及び分析するための試料１７をグローブボックス内で作製した後、試料搬送装置１６を用いて、試料１７を搬送し、透過型電子顕微鏡１内へ挿入する手順を示したフローチャートである。なお、グローブボックス内は、アルゴンガスで置換されている。
【００４６】
まず、大気中で試料搬送装置１６内にサイドエントリ型試料ホルダ５を設置する。その後、サイドエントリ型試料ホルダ５を設置した試料搬送装置１６をゲートバルブ３８が開けられた状態で、グローブボックス横に付随されている予備排気室に挿入し、試料搬送装置１６内を真空排気する（Ｓ１０１〜Ｓ１０３）。
【００４７】
グローブボックス内に挿入する際は、サイドエントリ型試料ホルダ５と試料搬送装置１６を別々に挿入しても良い。
【００４８】
次に、試料搬送装置１６をグローブボックス内に挿入し、ベローズ３２を収縮させ、試料搬送装置１６から、サイドエントリ型試料ホルダ５の先端部を突出させる（Ｓ１０４〜Ｓ１０５）。その後、サイドエントリ型試料ホルダ５の先端部に透過型電子顕微鏡１にて観察，分析するための試料１７を設置する（Ｓ１０６）。試料１７は、事前にグローブボックス内で試料台１８に固定されている。
【００４９】
次に、ベローズ３２を伸ばし、試料１７を取り付けたサイドエントリ型試料ホルダ５を、ベローズ３２内に格納する。その後、ゲートバルブ３８を閉じる（Ｓ１０６〜Ｓ１０７）。
【００５０】
試料搬送装置１６をグローブボックス内から取り出し、大気中をそのまま搬送し、透過型電子顕微鏡１の試料傾斜装置１５に固定する。その後、試料搬送装置１６のゲートバルブ３８を開け、サイドエントリ型試料ホルダ５を試料傾斜装置１５内へ挿入する。試料ホルダの挿入後、試料搬送装置１６を取り外す（Ｓ１０８〜Ｓ１１０）。
【００５１】
上記手順において、試料搬送装置１６は、試料ホルダを挿入した後、取り外されるが、透過型電子顕微鏡１での観察や分析において、特に障害が発生しない場合は、外さなくても良い。
【００５２】
図１１は、試料搬送装置１６が試料傾斜装置１５に固定され、サイドエントリ型試料ホルダが挿入される際の動作説明図である。図１１（ａ）は、試料搬送装置１６が試料傾斜装置１５に固定された直後の説明図である。図１１（ｂ）において、試料搬送装置１６からサイドエントリ型試料ホルダ５が試料傾斜装置１５へと挿入される。サイドエントリ型試料ホルダ５が試料傾斜装置１５へ挿入された後は、図１１（ｃ）に示した通り、試料搬送装置１６を取り外すことができる。
【００５３】
収束イオンビーム装置で透過型電子顕微鏡用試料を作製した場合は、まず初めに試料搬送装置１６を収束イオンビーム装置の試料傾斜装置に設置し、その後試料ホルダを試料傾斜装置内に格納した後、ゲートバルブを閉じ、大気中を搬送すれば良い。また、試料ホルダを格納する際には、ベローズ３２内すなわち試料保持空間５０を真空排気やガス雰囲気置換等を行っても良い。
【００５４】
上記説明は、電子分光器を有した透過型電子顕微鏡に適用した例を示したが、本発明は、上記装置への適用のみに限定されるものではなく、荷電粒子装置本体側面から試料を挿入するサイドエントリ方式すなわちサイドエントリ型試料ホルダが採用されている装置全てに適応可能である。
【００５５】
前記、装置本体側面から試料を挿入するサイドエントリ型試料ホルダが採用されている荷電粒子装置とは、例えば、透過型電子顕微鏡，走査透過型電子顕微鏡，走査型電子顕微鏡，収束イオンビーム装置等が挙げられる。
【００５６】
本発明の試料搬送装置において、サイドエントリ型試料ホルダ５の場合を説明したが、試料搬送装置１６内に設置可能な試料ホルダはこれに限るものではない。
【００５７】
図１２は、本発明の試料搬送装置において、サイドエントリ型試料ホルダ以外の試料ホルダを搬送した例について示している。試料搬送装置１６の試料保持空間５０には、挿入棒６１の先端部に試料台１８及び試料１７が設置されている。
【００５８】
試料搬送装置１６を荷電粒子装置の予備排気室６２に固定した後、ベローズ３２を収縮させて、試料１７を予備排気室６２内へ挿入する。本実施例によれば、透過型電子顕微鏡１のトップエントリ型試料ホルダの挿入も可能になるとともに、走査電子顕微鏡や収束イオンビーム装置において、大きな試料例えばシリコンウエハといった試料も挿入も可能となる。
【００５９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００６０】
１  透過型電子顕微鏡
２  電子源
３  電子線
４  収束レンズ
５  サイドエントリ型試料ホルダ
６  対物レンズ
７  結像レンズ系
８  電子分光器
９  蛍光板
１０  磁場セクタ
１１，１２  多重極子レンズ
１３  二次元検出器
１４  画像表示装置
１５  試料傾斜装置
１６  試料搬送装置
１７  試料
１８  試料台
２０  ドリフトチューブ
３０  前面フランジ
３１  ガイド棒
３２  ベローズ
３３  背面シール板
３４  ストッパネジ
３５  背面カバー
３６  背面フランジ
３７  ガイド穴
３８  ゲートバルブ
３９  ベローズ固定冶具
４０  ゲートフランジ
４１  ゲートバルブ用取っ手
５０  試料保持空間
５１  ホルダ支持部材
５２  サイドエントリ型試料ホルダ後方部
６０  排気穴
６１  挿入棒
６２  予備排気室
【図１】
0005422416.tif 000002
【図２】
0005422416.tif 000003
【図３】
0005422416.tif 000004
【図４】
0005422416.tif 000005
【図５】
0005422416.tif 000006
【図６】
0005422416.tif 000007
【図７】
0005422416.tif 000008
【図８】
0005422416.tif 000009
【図９】
0005422416.tif 000010
【図１０】
0005422416.tif 000011
【図１１】
0005422416.tif 000012
【図１２】
0005422416.tif 000013